(57)【特許請求の範囲】
【請求項１】
複数の面を有する緑化装置であって、
植物を生育する植生基盤と、
前記植生基盤が充填され、前記複数の面のうち少なくとも一つの側面が植物を植生する植生面となる枠体とを備え、
前記枠体は、前記植生面となる側面の横方向に延出する波状の横部材であって、縦方向に複数配置される横部材と、前記横部材と直交するように該横部材と接続される縦部材とを有し、
前記複数の横部材は、前記枠体の側面と直交する方向において波状であり、波の周期が縦方向において一致しており、
前記植生面となる前記枠体の側面のうち、少なくとも一つの側面の前方に所定間隔を空けて設けられ、該植生面に植生された植物の生育方向を規制する外枠体を更に備え、
前記外枠体のうち、前記植生面と対向する面は、前記枠体の前記横部材と平行な複数の直線状の横部材と、該直線状の横部材と直交する複数の直線状の縦部材により、格子状に構成される、
緑化装置。
【請求項２】
前記植生基盤の下方に配置され、植生用の水を緑化装置の外に排出する排水基盤を更に備え、
前記外枠体は、少なくとも前記排水基盤と対応する前記植生面の前方に設けられる、
請求項１に記載の緑化装置。
【請求項３】
複数の面を有する緑化装置であって、
植物を生育する植生基盤と、
前記植生基盤が充填され、前記複数の面のうち少なくとも一つの側面が植物を植生する植生面となる枠体とを備え、
前記枠体は、前記植生面となる側面の横方向に延出する波状の横部材であって、縦方向に複数配置される横部材と、前記横部材と直交するように該横部材と接続される縦部材とを有し、
前記複数の横部材は、前記枠体の側面と直交する方向において波状であり、波の周期が
縦方向において一致しており、
前記植生面となる前記枠体の側面のうち、少なくとも一つの側面の前方に所定間隔を空けて設けられ、該植生面に植生された植物の生育方向を規制する外枠体と、
前記植生基盤に設けられると共に該植生基盤に含まれる水を受ける受け皿と、
を更に備える、
緑化装置。
【請求項４】
前記植生基盤に設けられ、該植生基盤に含まれる水を集水すると共に集水した水を前記受け皿に向けて排水する集排水管を更に備える、
請求項３に記載の緑化装置。
【請求項５】
前記受け皿には、水の腐敗を抑制する腐敗抑制材が設けられている、
請求項３又は４に記載の緑化装置。
【発明の詳細な説明】
【技術分野】
【０００１】
本発明は、緑化装置に関する。
【背景技術】
【０００２】
各種植物を植生する鉢容器として、多種多様の形状や寸法のものが提案されている。例えば、特許文献１には、多数の面に植物を立体的に植生するための多面緑化体用容器が開示されている。この容器は、四角形の複数の側面を有している。また、容器の複数の側面に、基盤マットに植物を予め植生した植生ブロックマットが収容されている。また、植生ブロックマットの内側には、軽量土壌が充填され、容器の複数の側面と天面には、植物が植えられている。
【先行技術文献】
【特許文献】
【０００３】
【特許文献１】実用新案登録第３１０６１６０号公報
【発明の概要】
【発明が解決しようとする課題】
【０００４】
各種植物を植生する鉢容器として、多種多様の形状や寸法のものが提案されている。例えば、上記した多面緑化体用容器は、側面の縦方向が凹凸状の網体で形成されることにより、植生ブロックマットの表面から網体の凸部までの間に空間が形成され、植生ブロックマットに植生された蔦等の蔓植物が該網体に絡みつき易くなる技術が開示されている。本発明は、より植物が絡みつき易くなる緑化装置を提供することを課題とする。
【課題を解決するための手段】
【０００５】
本発明は、上述した課題を解決するために、植物を植生する植生面となる枠体の側面の横方向に延出する横部材を波状に形成し、且つ、波の周期が縦方向において一致する構成とした。
【０００６】
詳細には、本発明に係る緑化装置は、複数の面を有する緑化装置であって、植物を生育する植生基盤と、前記植生基盤が充填され、前記複数の面のうち少なくとも一つの側面が植物を植生する植生面となる枠体とを備え、前記枠体は、前記植生面となる側面の横方向に延出する波状の横部材であって、縦方向に複数配置される横部材と、前記横部材と直交するように該横部材と接続される縦部材とを有し、前記複数の横部材は、前記枠体の側面と直交する方向において波状であり、波の周期が縦方向において一致している。
【０００７】
本発明に係る緑化装置は、複数の面のうち少なくとも一つの側面が植物を植生する植生面を有する。植生面に植生された植物は、枠体の横部材や縦部材に絡みながら成長する。本発明に係る緑化装置では、横部材が波状に形成される。つまり、横方向において、凹部と凸部が交互に配置される。また、波は縦方向において周期が一致している。つまり、凹部や凸部が縦方向において直線状に並んでいる。換言すると、凹部や凸部内に形成される空間が、縦方向において、直線状に形成される。その結果、空間が形成されることで、植物がより絡みやすくなり、また、その空間が縦方向に直線状に形成されることで、絡まった植物の上方が開放され、植物の育成方向が妨げられることもない。よって、本発明に係る緑化装置は、植物が絡みやすく、生育するうえで良好な環境を提供することができる。更に、本発明に係る緑化装置は、植物が絡みやすいことから、植生面が均一にむらなく植物により被覆され、美観が向上する。
【０００８】
植生基盤とは、緑化装置に植えられる植物を生育するための土台を意味する。植生基盤は、保水性の高い軽量土壌を用いることが好ましいが、植物を生育できるものであればよい。枠体の面数は、限定されない。例えば、緑化装置が６面の場合、枠体は６面体となる。この場合、枠体の側面は４面となる。また、緑化装置が、三角柱状、換言すると、底面、天面、及び３つの側面によって構成される場合、緑化装置の側面は３面である。この場合、枠体の側面も３面となる。
【０００９】
また、本発明に係る緑化装置は、前記植生面となる前記枠体の側面のうち、少なくとも一つの側面の前方に所定間隔を空けて設けられ、該植生面に植生された植物の生育方向を規制する外枠体を更に備える構成としてもよい。
【００１０】
植生面において成長した植物が更に成長すると、植物が枠体の側面から大きく乱雑に飛び出すことが想定される。本発明に係る緑化装置では、枠体の側面から飛び出た植物が外枠体と接触、又は外枠体に絡み付く。つまり、外枠体により、植生面に植生された植物の生育方向が規制される。その結果、植生面において成長した植物が枠体の側面から大きく乱雑に飛び出すこともなく、緑化装置の側面は、均一にむらなく植物により被覆され、美観が向上する。外枠体の面は、格子状又は線状のどちらでもよい。
【００１１】
また、本発明に係る緑化装置は、前記植生基盤の下方に配置され、植生用の水を緑化装置の外に排出する排水基盤を更に備え、前記外枠体は、少なくとも前記排水基盤と対応する前記植生面の前方に設けられるようにしてもよい。
【００１２】
緑化装置は、排水基盤を備えることで植生用の水を排出することができる。また、外枠体を排水基盤の前方に設けることで、排水基盤の前方を外枠体で覆うことができる。その結果、排水基盤が直接人目に触れるのを抑制することができる。すなわち、排水基盤は植物の植生ができないことから、仮に外枠体を設けない場合、緑化装置の側面の下方部分では、排水基盤が露出してしまうことが懸念される。しかしながら、本発明では、外枠体が排水基盤の前方に設けられることで、排水基盤のすぐ上に位置する植生基盤に植生された植物が重力によって一旦下方に向けて生育し始め、その後生育方向が排水基盤の前方に設けられた外枠体の方へ誘導される。そして、排水基盤のすぐ上に位置する植生基盤に植生された植物が外枠体に絡み付き、排水基盤の前方を植物で覆うことができる。その結果、排水基盤が直接人目に触れるのを抑制することができる。換言すると、外枠体により、排水基盤が設けられた、植物を植生できない領域を隠すことが可能となり、美観が向上する。なお、本発明に係る緑化装置を視線より高い位置に設置すると、緑化装置の下方が人目に付きやすい。従って、本発明に係る緑化装置は、視線よりも高い位置に設置する場合に特に有用である。
【発明の効果】
【００１３】
本発明によれば、植物がより絡みつき易くなる緑化装置を提供することが可能である。
【図面の簡単な説明】
【００１４】
【図１】第一実施形態に係る緑化装置の斜視図を示す。
【図２】第一実施形態に係る緑化装置のうち、枠体の分解斜視図を示す。
【図３】第一実施形態に係る緑化装置の正面から背面へ垂直に切断した断面図を示す。
【図４】第二実施形態に係る緑化装置の斜視図を示す。
【図５】第二実施形態に係る緑化装置のうち、枠体及び外枠体の分解斜視図を示す。
【図６】第二実施形態に係る緑化装置の正面から背面へ垂直に切断した断面図を示す。
【図７】第三実施形態に係る緑化装置が壁に設置された設置例を示す。
【図８】第四実施形態に係る緑化装置の平面図を示す。
【図９】図８におけるＡ−Ａ断面図を示す。
【図１０】第五実施形態に係る緑化装置の枠体の正面図を示す。
【図１１】図１０におけるＡ−Ａ断面図を示す。
【図１２】図１０におけるＢ−Ｂ断面図を示す。
【図１３】第六実施形態に係る緑化装置を設置する競技場の平面図を示す。
【図１４】図１３におけるＡ−Ａ断面図を示す。
【図１５】図１４に示す複数の枠体の断面図を示す。
【図１６】図１４に示す複数の枠体の分解斜視図を示す。
【発明を実施するための形態】
【００１５】
次に、本発明の実施形態について図面を基づいて説明する。なお、以下で説明する実施形態は本発明を実施するための例示であり、本発明は以下で説明する態様に限定されない。
【００１６】
[第一実施形態]
＜構成＞
図１から図３に示すように、第一実施形態に係る緑化装置１は、４つの側面（正面、背面、右側面、左側面）、天面、底面の６面からなる箱型形状（６面体）である。第一実施形態に係る緑化装置１は、上方が開放された箱形の枠体３の内側に植生マット２が設けられ、植生マット２の内側に軽量土壌７が充填され、各側面及び天面に植物８（各側面に植生された植物８１、天面に植生された植物８２）が植生されている。植物８は、各側面に植生される植物８１として、蔓性植物としてのテイカカズラが例示される。また、天面に植生される植物８２には、シラカシやアオダモなど主木となる木と、コナラ、ウツギ、ヤマブキ、ヤマツツジ、ツバキなどの中・低木、ヒメヤブラン、キチジョウソウ、チゴユリ、ゲンノショウコなどの草木が例示される。なお、植物８は、上記を混植してもよい。なお、本実施形態では、各面の平面形状を四角形としたが、各面の平面形状は、四角形以外の多角形としてもよい。また、緑化装置１は、６面体以外の多面体構造としてもよい。
【００１７】
図２に示すように、枠体３は、上方が開放されたＣ型網４と、側網５を有し、接続部材１７によってＣ型網４と側網５が互いに接続されている。Ｃ型網４は、底面部４１と、底面部４１の正面側の辺及び背面側の辺にそれぞれ接続され、互いに平行な正面部４２、背面部４３を有する。底面部４１と正面部４２、底面部４１と背面部４３は直交している。なお、第一実施形態では、正面部４２、背面部４３、底面部４１の枠体を一体型としたが、正面部４２、背面部４３、底面部４１を別構成とし、接続部材１７で接続するようにしてもよい。また、Ｃ型網４は、正面部４２と底面部４１の一部からなるＬ型網と、背面部４３と底面部４１の他部からなるＬ型網を組み合わせるようにしてもよい。
【００１８】
側網５は、Ｃ型網４の開放されている面に配置される。具体的には、側網５は、左面部５１と右面部５２によって構成されている。側網５の下端部には、内側斜め上方に突出した鉤部１０が設けられている。鉤部１０は、底面部４１の左側の辺と右側の辺に引っ掛ける引っ掛け部として機能する。また、鉤部１０は、Ｃ型網４と側網５との位置決めを補助する位置決め部としても機能する。
【００１９】
Ｃ型網４及び側網５は、平板状の金網に対して折り曲げ加工と溶接が施されることで形成されている。金網の材質は、例えば、亜鉛とアルミニウム合金メッキの鉄線である。また、Ｃ型網４及び側網５は、エキスパンドメタルや、複数の孔（例えば、格子状に形成された孔）を有する鋼板を用いてもよい。Ｃ型網４及び側網５の材質は、通気性を確保でき、かつ、軽量土壌７を充填した際の内圧に耐えうる強度を有していればよく、特に限定されない。
【００２０】
更に、Ｃ型網４及び側網５では、格子の横方向を構成する横部材１１が、折り曲げ加工が施され、波状に形成されている。これに対し、格子の縦方向（底面部４１では、正面から背面方向）を構成する縦部材１２は、直線状である。また、横部材１１の波状のうち、外側に向けて突出した突出部１３が縦方向に直線状に並ぶように、突出部１３と突出部１３との間において、縦部材１２と横部材１１とが溶接されている。突出部１３と突出部１３との間の領域は、換言すると凹部である。横部材１１が突出部１３を有することによって、枠体３の内側に設けられた植生マット２の表面と、横部材１１の突出部１３との間に空間が形成され、各側面に植生された植物８１が横部材１１に対して絡み易くなる。また、突出部１３が縦方向に直線状に並んでいるため、植生マット２の表面と突出部１３との間に形成された空間が直線状となっている。そのため、植物８１が成長して上方に向かって伸びる際、植物８１の生育方向が開放されており、植物８１が生育するうえで良好な環境となる。また、底面部４１では、突出部１３を有することで、枠体３の底面の通気性が確保される。
【００２１】
接続部材１７は、Ｃ型網４と、側網５とを接続する。接続部材１７は、Ｃ型網４及び側網５と同素材であり、螺旋形状を有する。Ｃ型網４の辺と側網５の辺とが接する状態で、接続部材１７の軸方向を中心に接続部材１７を回転させ、接続部材１７の先端を網に順次通していくことで、Ｃ型網４と側網５との接続が可能となる。なお、接続部材１７は、Ｃ型網４と側網５とを接続できればよく、螺旋形状を有する接続部材１７に代えて、挟み込んで固定するクリップや結束する結束クリップなどを用いてもよい。
【００２２】
植生マット２は、枠体３の内側に配置され、充填される軽量土壌７が外部に漏れるのを抑制する。植生マット２は、枠体３の各面の形状に合わせて設計されている。植生マット２は、通気性と軽量土壌７を保持する強度を有していればよく、第一実施形態では植生マット２にファイバーマットが用いられている。ファイバーマットは、ポリエステルシートと天然椰子繊維からなるシートを張り合わせることで構成されている。なお、ファイバーマットに代えてリサイクルＰＥＴからなるシートやフェルトを用いてもよい。植生マット２には、植物８１の植え付けが可能である。具体的には、植生マット２に複数の切り込みを設け、この切り込みから植物８１の根を植生基盤７１に植え付けることが可能である。なお、植生マット２に植え付ける植物８１は、同種植物の組み合わせでもよいし、異種植物の組み合わせの何れでもよい。また、枠体３において植物８１を植え付ける面は、緑化装置１の配置場所の状況に応じて適宜変更することが可能である。また、緑化装置１は、予め植物８１が植生された植生マット２を用いてもよい。これにより、設置された直後から緑化効果を与え、美観を向上させることができ、設置場所において植物８を植える手間を省くことができ、施行性が向上する。また、植物の植えつけは、作業者の熟練度によって完成後の見栄えや植物の生育に影響を与えることが懸念されるが、予め植物８１が植生された植生マット２を用いることで、そのような懸念が解消される。
【００２３】
図３に示すように、軽量土壌７は、植生基盤７１と排水基盤７２を有する。植生基盤７１は、植物が必要とする微量要素が混合され、保水性に優れた無機質の軽量土壌であり、植生マット２に植えられる植物８１に対して水分を供給する。排水基盤７２は、水を排水する無機質の軽量土壌である。枠体３内の底面に、排水基盤７２が充填され、排水基盤７２の上から枠体３の天面まで植生基盤７１が充填される。なお、植生基盤７１としては、例えば市販されている無機質１００％の排水用及び育成用のアクアソイル（株式会社イケガミ社製）が好適であるが、これに限定されない。軽量土壌に代えて既存の他の土壌を用いてもよい。
【００２４】
また、第一実施形態に係る緑化装置１は、底面にキャスター等の走行輪（不図示）を設け、緑化装置１を移動可能に構成してもよい。これにより、緑化装置１の運搬移動性が向
上する。
【００２５】
＜組み立て方法＞
次に、上述した緑化装置１の組み立て方法（以下、単に組み立て方法ともいう）について説明する。以下に示す組み立て方法の工程順序は一例であり、工程順序は適宜入れ替えることが可能である。
【００２６】
先ず、Ｃ型網４と側網５の接続が行われる。Ｃ型網４と側網５は、接続する辺同士が接した状態で、接続部材１７の軸方向を中心に接続部材１７を回転させ、接続部材１７の先端を網に順次通していくことで接続する。その結果、Ｃ型網４と側網５とを接続する辺（二つの辺）が、螺旋形状を有する接続部材１７の軸上に位置し、接続部材１７によって拘束される。側面の４つの角部に位置する辺が全て拘束されると、天面が開いた箱型形状の枠体３が完成する。
【００２７】
次に、枠体３の内側に植生マット２が設置される。各側面に設置される植生マット２には、予め植物８が植えられたものが用いられる。次に、底面の植生マット２の上に排水基盤７２が充填される。充填される排水基盤７２の量は、緑化装置１の大きさに応じて適宜調整される。続いて、排水基盤７２の上に、植生基盤７１が枠体３の天面近傍まで充填される。
【００２８】
次に、排水基盤７２と植生基盤７１の充填が完了すると、枠体３の天面に植物８２が植えられる。枠体３の天面は、植生マット２を水平に設置してもよいし、植生基盤７１に植物８２を直接植生してもよい。なお、緑化装置１における植物８の植生面は、任意に設定することができる。
【００２９】
以上により、緑化装置１の組み立ての作業工程が完了する。第一実施形態に係る緑化装置１は、全側面及び天面に植物８が植え付けられていることから、設置場所には、公園、オフィス街、屋上等、緑化が望まれる種々の場所が例示される。
【００３０】
＜効果＞
以上説明した第一実施形態に係る緑化装置１によれば、枠体３の横部材１１が、波状に形成され、突出部１３を有することにより、突出部１３と植生マット２の表面との間に空間が形成され、植物８１が横部材１１に対して絡み易くなる。また、突出部１３が縦方向に直線状に並んでいるため、植生マット２の表面と突出部１３との間に形成された空間が直線状となっている。そのため、植物８１が成長して上方に向かって伸びる際、植物８１の生育方向が開放されており、植物８１が生育するうえで良好な環境となる。すなわち、緑化装置１は、植物８１が絡みやすいことにより、側面の植生面が均一にむらなく植物８１により被覆され、美観が向上する。
【００３１】
[第二実施形態]
第二実施形態に係る緑化装置１は、第一実施形態に係る緑化装置１の構成に加えて、外枠体６を更に有する。以下、第二実施形態に係る緑化装置１ａについて図面に基づいて説明する。なお、第一実施形態に係る緑化装置１と同様の構成については、同一符号を付すことで詳細な説明は割愛する。
【００３２】
図４は、第二実施形態に係る緑化装置１ａの斜視図を示す。図５は、第二実施形態に係る緑化装置１ａのうち、枠体３ａ及び外枠体６の分解斜視図を示す。図６は、第二実施形態に係る緑化装置１ａの正面から背面へ垂直に切断した断面図を示す。
【００３３】
枠体３ａは、第一実施形態のＣ型網４の正面に更にＬ字状の外枠体６が付加された形状
のＥ型網４ａと、側網５を有し、接続部材１７によってＥ型網４ａと側網５が互いに接続されている。第二実施形態のＥ型網４ａは、Ｌ字状の外枠体６とＣ型網４の正面部４２を除く部分（底面部４１及び背面部４３）が一体的に形成され、Ｃ型網４の正面部４２が底面部４１に溶接されることで構成されている。外枠体６は、正面部６１と底面部６２からなり、外枠体６の正面部６１は、Ｃ型網４の正面部４２と所定の間隔を空けて、Ｃ型網４の正面部４２と平行である。
【００３４】
第二実施形態においても、枠体３ａは、外枠体６の正面部６１を除いて、格子の横方向を構成する横部材１１が、折り曲げ加工が施されることによって、波状に形成されている。換言すると、外枠体６の正面部６１のみ、横部材１１ａが縦部材１２と同じく直線状である。なお、Ｅ型網４ａは、Ｃ型網４の正面側に、Ｌ字状の外枠体６を接続する構成でもよい。これにより、既存のＣ型網４を用いて、第二実施形態の緑化装置１ａを構成することができる。Ｅ型網４ａと、側網５は、接続部材１７によって連結される。
【００３５】
＜効果＞
第二実施形態に係る緑化装置１ａは、外枠体６を更に備えることで、Ｃ型網４の正面部４２に絡まった植物８１の植生方向が規制される。すなわち、Ｃ型網４の正面部４２から飛び出た植物８１が、外枠体６の正面部６１と接触し、外枠体６の正面部６１に絡み付く。その結果、成長した植物８１がＣ型網４の正面部４２から大きく乱雑に飛び出すこともなく、緑化装置１ａの正面は、均一にむらなく植物により被覆され、美観が向上する。また、植物８１が成長し、横方向にも成長することで、Ｃ型網４の正面部４２と外枠体６の正面部６１との間に形成される空間内が植物８１で満たされ、植物８１の層（壁）が形成される。その結果、緑化装置１ａの正面の植物のボリューム感が増し、より美観が向上する。また、外枠体６が排水基盤７２の前方に設けられることで、排水基盤７２のすぐ上に位置する植生基盤７１に植生された植物８１の生育方向が排水基盤７２の前方に設けられた外枠体６の正面部６１へ誘導される。そして、排水基盤７２のすぐ上に位置する植生基盤７１に植生された植物８１が外枠体６の正面部６１に絡み付き、排水基盤７２の前方を植物８１で覆うことができる。その結果、排水基盤７２が直接人目に触れるのを抑制することができる。換言すると、外枠体６により、排水基盤７２が設けられた、植物８１を植生できない領域を隠すことが可能となり、美観が向上する。
【００３６】
なお、第二実施形態に係る緑化装置１ａは、図４及び図６に示すように、正面のみ、外枠体６を設けているが、枠体３ａの複数の側面（背面、左面、右面）に外枠体６を設けるようにしてもよい。この場合、Ｌ字状の外枠体６を用意し、接続部材１７を用いて、Ｃ型網３や側網５と適宜接続すればよい。
【００３７】
[第三実施形態]
第三実施形態では、上述した第二実施形態に係る緑化装置１ａの適用例について説明する。図７は、建物の屋上付近の壁２２に設置された第一の緑化装置１ａ−１と、第二の緑化装置１ａ−２を示す。壁２２は、断面がＬ字形であり、第一の段２３と、第一の段２３よりも高い第二の段２４とが連結された形状である。第一の緑化装置１ａ−１は、第一の段２３の天面２５に設けられている。第一の緑化装置１ａ−１は、第一の段２３の奥行きに合わせて設計されており、第二実施形態に係る緑化装置１ａよりも薄く設計されている。また、外枠体６の正面部６１が第二の段２４の天面２６まで上方に延出しており、上端が第二の緑化装置１ａ−２の外枠体６の正面部６１の下端と接続されている。
【００３８】
第二の緑化装置１ａ−２は、第二の段２４及び第一の緑化装置１ａ−１の外枠体６の正面部６１に支持されている。第一の緑化装置１ａ−１の外枠体６の正面部６１と第二の緑化装置１ａ−２の外枠体６の正面部６１とが同一平面にくるように、第一の緑化装置１ａ−１及び第二の緑化装置１ａ−２が設置されている。なお、第一の緑化装置１ａ―１は、
枠体３ａの正面部４２と天面にのみ植物８が植生されている。第一の緑化装置１ａ−１の背面は、第一の段２３の壁に奥の壁２８と接している。横部材１１が波状であることで、植生マット２と奥の壁２８との間に空間が形成され、通気性が確保されている。なお、第一の緑化装置１ａ−１及び第二の緑化装置１ａ−２の植生基盤７１の天面付近には、灌水チューブ３２が設けられている。灌水チューブ３２から水が放出されることで、植生基盤７１内に水が浸透し、植物８に水が供給される。
【００３９】
＜効果＞
第三実施形態では、第一の緑化装置１ａ−１及び第二の緑化装置１ａ−２が視線よりも高い位置に設置されるが、排水基盤７２の前方が植物８１で覆われることで、排水基盤７２が直接人目に触れるのを抑制することができる。換言すると、外枠体６により、排水基盤７２が設けられた、植物８１を植生できない領域を隠すことが可能となり、美観が向上する。
【００４０】
[第四実施形態]
第四実施形態においても、上述した第二実施形態に係る緑化装置１ａの適用例について説明する。図８は、第四実施形態に係る緑化装置の平面図を示す。図９は、図８におけるＡ−Ａ断面図を示す。
【００４１】
緑化装置１ｂが大型になると、領域によって植生基盤の水分量に差が生じる。具体的には、側面は、空気に触れる面積が多いため水分量が少なく乾燥し易いが、植生基盤７１の中央付近や下部は逆に水分量が多くなりすぎることがある。このように、領域によって水分量の差が生じると、植物８の生育にも差が生じてしまう。また、水分量が多すぎると、植物８の根が腐ってしまうことも想定される。
【００４２】
第四実施形態に係る緑化装置１ｂは、上記課題を解決するため、集排水管１１０、腐敗抑制材１１２を備える。第四実施形態に係る緑化装置１ｂは、平面視長方形であり、側面の全てに外枠体６が設けられている。集排水管１１０は、透水性のパイプからなり、植生基盤７１の中央付近２か所に縦方向に設けられている。集排水管１１０は、周囲の水を集水し、下方へ排水する。集排水管１１０の上端は、植生基盤７１の天面に位置し、集排水管１１０の下端は、植生基盤７１の高さ方向の中心付近に位置する。また、集排水管１１０の下方には、集排水管１１０からの排水を受ける受け皿１１１が設けられている。この受け皿１１１には、更に腐敗抑制材１１２が設けられている。腐敗抑制材１１２は、集排水管１１０から排水される水や、周囲の水の腐敗を抑制する。腐敗抑制材１１２には、クリノゼオライトが例示される。
【００４３】
また、第四実施形態に係る緑化装置１ｂでは、外枠体６と、各側面部（正面部４２、背面部４３、左面部５１、右面部５２）との間にも軽量土壌７（植生基盤７１、排水基盤７２）が充填され、外枠体６と、各側面部との間の天面に植物８１が植生されている。
【００４４】
＜効果＞
第四実施形態に係る緑化装置１ｂによれば、全ての側面に外枠体６を備えることで、緑化装置１ｂの全ての側面が、均一にむらなく植物により被覆され、美観が向上する。また、集排水管１１０及び腐敗抑制材１１２を備えることで、緑化装置１ｂに充填される植生基盤７１の水分量を均一化することができ、また水分量が多い領域における水の腐敗を抑制することができる。その結果、植物８の生育のばらつきを抑制することができる。更に、水分量が多すぎる場合に懸念される植物８の根腐りの発生を抑制することができる。
【００４５】
また、外枠体６と各側面部との間の天面に植物８１を植生することで、植生や灌水が容易になる。すなわち、側面の植栽と比較すると、天面の植栽の方が容易に行うことができ
る。また、水の管理は、側面植栽よりも天面植栽の方が容易である。外枠体６と各側面部との間の天面に植物８１を植生する場合、例えば、側面の植物８２を減らして、外枠体６と各側面部との間の天面の植物８１で補うこともできる。その結果、植生の手間や灌水の手間を軽減することができる。
【００４６】
[第五実施形態]
第五実施形態においても、上述した第二実施形態に係る緑化装置１ａの適用例について説明する。図１０は、第五実施形態に係る緑化装置の枠体３ｃの正面図を示す。図１１は、図１０におけるＡ−Ａ断面図を示す。図１２は、図１０におけるＢ−Ｂ断面図を示す。
【００４７】
第五実施形態に係る緑化装置１ｃは、中央に灰皿１２０が設けられ、さらにこの灰皿１２０の側面を支持する側面の支持部６３と、灰皿１２０の底面を支持する底面の支持部６４を有する。第五実施形態に係る緑化装置１ｃは、全ての側面に外枠体６が設けられている。外枠体６は上部が延出して緑化装置１ｃの内側にＣ字状に折り返されている。折り返された部分が、四角柱の灰皿１２０の側面を支持する側面の支持部６３として機能している。また、枠体３ｃの底面４１には、枠体３ｃの底面４１から上方に突出した底面の支持部６４が設けられている。第五実施形態では、灰皿１２０を安定的に支持できるよう、底面の支持部６４に支持プレートがねじ止めされている。
【００４８】
第五実施形態に係る緑化装置１ｃでは、植生マット２が灰皿１２０の側面を覆うように配置される（図示せず）。そして、軽量土壌７は、灰皿１２０が収容される以外の領域に充填される（図示せず）。
【００４９】
＜効果＞
第五実施形態に係る緑化装置１ｃによれば、全ての側面に外枠体６を備えることで、緑化装置１ｃの全ての側面が、均一にむらなく植物８１により被覆され、美観が向上する。また、従来、緑化とは無縁であった灰皿１２０の周囲を緑化することができる。なお、第五実施形態では、一例として緑化装置と灰皿の組み合わせについて説明したが、緑化装置１ｃは、灰皿１２０以外に自動販売機、傘立てなど種々ものものと組み合わせることができる。
【００５０】
[第六実施形態]
第六実施形態においても、上述した第二実施形態に係る緑化装置１ａの適用例について説明する。図１３は、第六実施形態に係る緑化装置を設置する競技場の平面図を示す。図１４は、図１３におけるＡ−Ａ断面図を示す。図１５は、図１４に示す複数の枠体の断面図を示す。図１６は、図１４に示す複数の枠体の分解斜視図を示す。
【００５１】
第六実施形態では、複数の緑化装置１ｄが競技場におけるフィールドとスタンドとの境界の擁壁２００（外構）として用いられている。複数の緑化装置１ｄが階段状に積み重ねられ、また、競技場におけるにフィールドとスタンドとの境界ラインに沿うように配置されている。境界ラインが直線の場合には、緑化装置１ｄは直線状に配置され、境界ラインが曲線の場合には、緑化装置１ｄは曲線状に配置されている。
【００５２】
図１４から図１６に示すように、擁壁２００は、複数の緑化装置１ｄが積み重ねられることで構成されている。最上段の緑化装置１ｄ−１（最上段の枠体３ｄ−１）は、フィールド側（紙面右側）とスタンド側（紙面左側）の両側面に外枠体６が設けられている。２段目の緑化装置１ｄ−２（２段目の枠体３ｄ−２）は、最上段の緑化装置１ｄ−１よりも奥行が一回り大きく形成され、フィールド側のみ外枠体６が設けられている。スタンド側の側面は、外枠体なしで植物８１が植生され、更に３段目の緑化装置１ｄ−３の天面に植生された植物８２によって覆われている。３段目の緑化装置１ｄ−３（３段目の枠体３ｄ
−３）は、２段目の緑化装置１ｄ−２よりも奥行が一回り大きく形成され、フィールド側のみ外枠体６が設けられている。スタンド側の側面は、外枠体なしで植物８１が植生され、更に４段目の緑化装置１ｄ−４の天面に植生された植物８２によって覆われている。
【００５３】
４段目の段目の緑化装置１ｄ−４（４段目の枠体３ｄ−４）は、３段目の緑化装置１ｄ−３よりも奥行が一回り大きく形成されている。４段目の緑化装置１ｄ−４には外枠体は設けられておらず、フィールド側には裏込め砕石２０２が充填され、裏込め採石２０２の上には盛り土２０３がされている。一方、スタンド側の側面は、外枠体なしで植物８１が植生され、更に５段目の緑化装置１ｄ−５の天面に植生された植物８２によって覆われている。５段目の緑化装置１ｄ−５（５段目の枠体３ｄ−５）は、４段目の緑化装置１ｄ−４よりも奥行が一回り大きく形成されている。５段目の緑化装置１ｄ−５には外枠体は設けられておらず、フィールド側には裏込め砕石２０２が充填されている。一方、スタンド側の側面は、外枠体なしで上部に植物８１が植生され、更にスタンド側の盛り土２０３に植生された植物によって覆われている。６段目の緑化装置の枠体と同じ材質で構成されたメッシュカゴ２０１であり、内部には砕石が充填され、緑化装置の基礎部として機能している。
【００５４】
＜効果＞
第五実施形態に係る緑化装置１ｄによれば、複数の緑化装置を適宜組み合わせることで、競技場の擁壁を構成することができる。その結果、競技場の擁壁を緑化することができる。最上段の緑化装置１ｄ−１、２段目の緑化装置１ｄ−２、及び３段目の緑化装置１ｄ−３は、外枠体６を備えることで、外枠体を備える側面がより均一にむらなく植物により被覆され、美観が向上する。
【００５５】
以上、本発明の好適な実施形態を説明したが、本発明に係る緑化装置はこれらに限らず、可能な限りこれらの組み合わせを含むことができる。
【符号の説明】
【００５６】
１・・・緑化装置
２・・・植生マット
３・・・枠体
４・・・Ｃ型網
５・・・側網
６・・・外枠体
７・・・軽量土壌
８・・・植物
１０・・・鉤部
１１・・・横部材
１２・・・縦部材
１３・・・突出部
１７・・・接続部材
【図１】
0005943268.tif 000002
【図２】
0005943268.tif 000003
【図３】
0005943268.tif 000004
【図４】
0005943268.tif 000005
【図５】
0005943268.tif 000006
【図６】
0005943268.tif 000007
【図７】
0005943268.tif 000008
【図８】
0005943268.tif 000009
【図９】
0005943268.tif 000010
【図１０】
0005943268.tif 000011
【図１１】
0005943268.tif 000012
【図１２】
0005943268.tif 000013
【図１３】
0005943268.tif 000014
【図１４】
0005943268.tif 000015
【図１５】
0005943268.tif 000016
【図１６】
0005943268.tif 000017